(57)【要約】  本発明は二種内容物混合容器に関するもので、本発明による二種内容物混合容器は、不使用時には、保管室に保管された内容物と収容部材に保管された内容物とが混合されないで、使用時には、ボタン部の簡単な操作によって、収容部材の下部が開放されて二種類の内容物が混合されるようにすることで、簡単な構造を通じて二種類の内容物を混合して使うことができる二種内容物混合容器に関する。【選択図】なし
2014500203.tif 000002
【特許請求の範囲】
【請求項１】
内容物が保管される保管室（１１０）が具備され、前記保管室（１１０）の内部にはピストン（１２０）が設置されるハウジング（１００）と；
前記ハウジング（１００）の上端に結合されるが、前記保管室（１１０）の内側を向けて係止突起（２１０）が突出して形成され、上部には上側に延長されるガイド片（２２０）が形成されるガイドブラケット（２００）と；
前記ガイド片（２２０）と挿入されて作動し、使用者の操作によって、吐出口（３１０）から内容物が吐出されるようにポンピング部材（３２０）が具備されるボタン部（３００）と；
前記ガイドブラケット（２００）とボタン部（３００）との間に選択的に脱離されるように設置される密閉リング（４００）と；
内部には前記保管室（１１０）に保管された内容物と異なる内容物が保管された状態で、前記ボタン部（３００）に設置されて、下端は前記係止突起（２１０）によって支持される収容部材（５１０）と、前記収容部材（５１０）の下部を選択的に密閉し、前記ポンピング部材（５１０）の下部と結合されるが、前記ポンピング部材（５１０）のポンピング時、前記ポンピング部材（５１０）と保管室（１１０）とが連通されるように連通孔（５２１）が具備された密閉部材（５２０）とが含まれる保管筒（５００）と；が含まれることを特徴とする二種内容物混合容器。
【請求項２】
前記ボタン部（３００）には、
前記ガイド片（２２０）と結合されて上下に作動されるように、下部が開口されたガイド溝（３３０）と；
内側には下部が開口されて、前記収容部材（５２０）が挿入される挿入溝（３４０）と；がさらに含まれることを特徴とする請求項１に記載の二種内容物混合容器。
【請求項３】
内容物が保管される保管室（１１０）が具備され、上部の外周面には螺糸山が形成された突出部（１３０）が具備されるハウジング（１００）と；
前記突出部（１３０）と結合され、使用者の操作によって、吐出口（３１０）から内容物が吐出されるように、ポンピング部材（３２０）が具備されるボタン部（３００）と；
前記ハウジング（１００）とボタン部（３００）との間に選択的に脱離されるように設置される密閉リング（４００）と；
前記突出部（１３０）に結合されるが、前記保管室（１１０）の内部に延長され、下部には前記保管室（１１０）に保管された内容物と異なる内容物が保管される収容部材（５１０）と、前記収容部材（５１０）の下部を選択的に密閉し、前記ポンピング部材（３２０）の下部と結合されるが、前記ポンピング部材（３２０）のポンピング時、前記ポンピング部材（３２０）と保管室（１１０）とが連通されるように連通孔（５２１）が具備された密閉部材（５２０）とが含まれた保管筒（５００）と；が含まれることを特徴とする二種内容物混合容器。
【請求項４】
前記保管室（１１０）に保管される内容物は液体であり、前記収容部材（５１０）の内部に保管される内容物は液体、粉末及び固体の中の一つであることを特徴とする請求項１または３に記載の二種内容物混合容器。
【請求項５】
前記密閉リング（４００）には脱離が容易になるように具備される脱離取っ手が（４１０）がさらに含まれることを特徴とする請求項１または３に記載の二種内容物混合容器。
【請求項６】
前記保管筒（５００）が前記ハウジング（１００）の上端に固定されるように、前記保管筒（５００）の上端に具備される固定突部（５３０）がさらに含まれることを特徴とする請求項３に記載の二種内容物混合容器。
【発明の詳細な説明】
【技術分野】
【０００１】
本発明は二種内容物混合容器に関するもので、さらに詳しくは、不使用時には、保管室に保管された内容物と収容部材に保管された内容物とが混合されないで、使用時には、ボタン部の簡単な操作によって収容部材の下部が開放されて、二種類の内容物の混合が容易になる二種内容物混合容器に関する。
【背景技術】
【０００２】
化粧品の中にはペースト状態のベース成分に美白などの特定效果を得ることができるパウダーまたは液体成分を混合して使うように構成されたものがある。このような化粧品は、ベース成分とパウダーまたは液体成分を予め混合しておけば、各成分が容易に変質される虞があるため、使用する際に使用者が直接混合して使用するように構成される。
【０００３】
本出願人によって先出願されて登録された韓国登録実用新安第２０−０２６６８４７号を参照すると、従来の二種内容物を混合使用可能な化粧品容器は、第１内容物が保存されるメイン容器２と、上記メイン容器２の上端に結合されるディスペンサーキャップ１０とを含むディスペンサーにおいて、上記メイン容器２とディスペンサーキャップ１０との間には、第２内容物が保存され、加圧によって破損可能な底面２２が備えられた補助容器２０が結合され、この補助容器２０の上端周面には、使用時、取り外し可能な間隔部材３０が具備され、上記補助容器２０の上側には、上記間隔部材３０が除去されると下降されて、上記補助容器２０の底面２２を破損させるプッシュ部材４０が具備され、上記間隔部材３０を除去した後、上記プッシュ部材４０を押せば、上記プッシュ部材４０によって補助容器２０の底面が開放されて、補助容器２０に保存された第２内容物がメイン容器２の第１内容物と混合されるようになることを特徴とする。
【０００４】
上記のような従来の二種内容物を混合使用可能な化粧品容器は、上記間隔部材３０を除去すれば、プッシュ部材４０が下降して補助容器２０の底面２２を破損させるように構成されるが、底面２２を破損させるように下降するプッシュ部材４０と、プッシュ部材４０の下降運動のための間隔部材３０及びプッシュ部材４０の移動のための空間を形成するなど、第１内容物と第２内容物を混合させるための構造が複雑で、製造費用及び製造時間が増加されるという問題点があった。
【０００５】
また、化粧品容器の大きさが小さいことからプッシュ部材４０の下降距離を長く形成することが難しくて、下降圧力に限界が発生するため、底面２２の完全な破損が容易でない問題点があった。
【発明の概要】
【発明が解決しようとする課題】
【０００６】
本発明は上述した問題点を解決するために案出されたもので、本発明の目的は、不使用時には、保管室に保管された内容物と収容部材に保管された内容物とが混合されないで、使用時には、ボタン部の簡単な操作によって収容部材の下部が開放されて、二種類の内容物の混合が容易になる二種内容物混合容器を提供することにある。
【課題を解決するための手段】
【０００７】
上記のような問題点を解決するために、本発明の好ましい実施形態による二種内容物混合容器は、内容物が保管される保管室１１０が具備され、上記保管室１１０の内部にはピストン１２０が設置されるハウジング１００と；上記ハウジング１００の上端に結合されるが、上記保管室１１０の内側を向けて係止突起２１０が突出して形成され、上部には上側に延長されるガイド片２２０が形成されるガイドブラケット２００と；上記ガイド片２２０に挿入されて作動し、使用者の操作によって吐出口３１０から内容物が吐出されるようにポンピング部材３２０が具備されるボタン部３００と；上記ガイドブラケット２００とボタン部３００との間に選択的に脱離されるように設置される密閉リング４００と；内部には上記保管室１１０に保管された内容物と異なる内容物が保管された状態で上記ボタン部３００に設置され、下端は上記係止突起２１０によって支持される収容部材５１０と、この収容部材５１０の下部を選択的に密閉し、上記ポンピング部材５１０の下部と結合されるが、上記ポンピング部材５１０のポンピング時、上記ポンピング部材５１０と保管室１１０とが連通されるように連通孔５２１が具備される密閉部材５２０とが含まれる保管筒５００と；が含まれることを特徴とする。
【０００８】
また、上記ボタン部３００には、上記ガイド片２２０と結合されて上下に作動されるように、下部が開口されたガイド溝３３０と；内側には、下部が開口されて上記収容部材５２０が挿入される挿入溝３４０と；がさらに含まれることを特徴とする。
【０００９】
一方、本発明のまた他の実施形態による二種内容物混合容器は、内容物が保管される保管室１１０が具備され、上部の外周面には螺糸山が形成された突出部１３０が具備されるハウジング１００と；上記突出部１３０と結合され、使用者の操作によって吐出口３１０から内容物が吐出されるようにポンピング部材３２０が具備されるボタン部３００と；上記ハウジング１００とボタン部３００との間に選択的に脱離されるように設置される密閉リング４００と；上記突出部１３０に結合されるが、上記保管室１１０の内部に延長され、下部には上記保管室１１０に保管された内容物と異なる内容物が保管される収容部材５１０と、この収容部材５１０の下部を選択的に密閉し、上記ポンピング部材３２０の下部と結合されるが、上記ポンピング部材３２０のポンピング時、上記ポンピング部材３２０と保管室１１０とが連通されるように連通孔５２１が具備される密閉部材５２０とが含まれた保管筒５００と；を含まれることを特徴とする。
【００１０】
また、上記保管筒５００が上記ハウジング１００の上端に固定されるように、上記保管筒５００の上端に具備される固定突部５３０がさらに含まれることを特徴とする。
【００１１】
一方、上記のような本発明の好ましい実施形態とまた他の実施形態による二種内容物混合容器は、上記保管室１１０に保管される内容物は液体であり、上記収容部材５１０の内部に保管される内容物は液体、粉末及び固体の中の一つであることを特徴とする。
【００１２】
また、上記密閉リング４００には脱離が容易になるように具備される脱離取っ手が４１０がさらに含まれることを特徴とする。
【発明の効果】
【００１３】
上述したような本発明によれば、不使用時には、保管室に保管された内容物と収容部材に保管された内容物とが混合されないで、使用時には、ボタン部の簡単な操作によって、収容部材の下部が開放されて、二種類の内容物の混合が容易になる長所がある。
【図面の簡単な説明】
【００１４】
【図１】本発明の第１実施形態による二種内容物混合容器の分解斜視図である。
【図２】本発明の第１実施形態による二種内容物混合容器の分解断面図である。
【図３】本発明の第１実施形態による二種内容物混合容器の初期状態の断面図である。
【図４】本発明の第１実施形態による二種内容物混合容器の二種類の内容物が混合された状態の断面図である。
【図５】本発明の第１実施形態による二種内容物混合容器のピストンが上死点まで移動された状態の断面図である。
【図６】本発明の第２実施形態による二種内容物混合容器の分解断面図である。
【図７】本発明の第２実施形態による二種内容物混合容器の初期状態の断面図である。
【図８】本発明の第２実施形態による二種内容物混合容器の二種類の内容物が混合された状態の断面図である。
【図９】従来の二種内容物混合使用可能な化粧品容器の断面図である。
【図１０】従来の二種内容物混合使用可能な化粧品容器の断面図である。
【発明を実施するための形態】
【００１５】
以下、添付された図面を参照して、本発明の実施形態を説明する。各図面に提示された同じ符号は同じ部材を現わす。本発明を説明するにおいて、係わる公知機能若しくは構成に関する具体的な説明は本発明の要旨を明確にするために省略する。
【００１６】
本発明は二つの実施形態が可能であり、第１実施形態は容器型で、第２実施形態はチューブ型である。
【００１７】
また、本発明は互いに異なる二種類の内容物を混合して使用することが特徴である。例えば、保管室１１０に保管される内容物は液体が好ましく、収容部材５１０に保管される内容物は上記保管室１１０に保管される液体内容物と異なる液体、粉末及び固体の中の一つであることが好ましい
＜第１実施形態＞
まず、第１実施形態について説明する
図１は本発明の第１実施形態による二種内容物混合容器の分解斜視図であり、図２は本発明の第１実施形態による二種内容物混合容器の分解断面図であり、図３は本発明の第１実施形態による二種内容物混合容器の初期状態の断面図であり、図４は本発明の第１実施形態による二種内容物混合容器の二種類の内容物が混合された状態の断面図であり、図５は本発明の第１実施形態による二種内容物混合容器のピストンが上死点まで移動された状態の断面図である。
【００１８】
本発明の第１実施形態による二種内容物混合容器は、ハウジング１００、ガイドブラケット２００、ボタン部３００、密閉リング４００及び保管筒５００を含み、保管室１１０、ピストン１２０、係止突起２１０、ガイド片２２０、吐出口３１０、ポンピング部材３２０、ガイド溝３３０、挿入溝３４０、脱離取っ手が４１０、収容部材５１０、密閉部材５２０及び連通孔５２１をさらに含むことができる。
【００１９】
上記ハウジング１００は、図１及び図２に示すように、内部に内容物が保管される保管室１１０が具備された部材で、このような保管室１１０にはピストン１２０が設置される。上記ピストン１２０は、後述するポンピング部材３２０のポンピング時、保管室１１０の内壁に密着された状態で上方へ移動されながら保管室の内部を真空状態に保持させる。
【００２０】
また、上記ハウジング１００は真空状態が保持されることができるように所定強度を有するプラスチックまたは金属材質で製作されることが好ましい
上記ガイドブラケット２００は、図１及び図２に示すように、ハウジング１００の上端に結合される部材で、このようなガイドブラケット２００は、上記ハウジング１００の上端に弾性結合されることが好ましく、図２に示すように、下端が内側を向けて係止突起２１０が突出して形成される。
【００２１】
上記のような係止突起２１０は、図３に示すように、ハウジング１００との結合の時、保管室１１０の内側を向けて突出して形成される。
【００２２】
一方、上記ガイドブラケット２００の上部には、図１及び図２に示すように、上側を向けて延長されるガイド片２２０が形成される。このようなガイド片２２０は、後述するポンピング部材３２０の上下方向の移動をガイドする役割を果たす。
【００２３】
上記ボタン部３００はガイドブラケット２００の上部に設置される部材で、このようなボタン部３００には上記ガイド片２２０と結合されるガイド溝３３０が具備される。
【００２４】
上記のようなガイド溝３３０は、後述する密閉リング４００の脱離時、ガイド片２２０と結合されて上記ボタン部３００を上下に駆動させる。
【００２５】
また、上記ボタン部３００にはポンピング部材３２０が具備される。このようなポンピング部材３２０は後述する密閉部材５２０の連通孔５２１と連結されて、ハウジング１００の内部に位置される内容物を吐出口３１０を通じて外部に吐出させる役割を果たし、このようなポンピング部材３２０の構成及び原理は公知技術であるので、これに対する詳細な説明は省略する。
【００２６】
一方、上記ボタン部３００の内側には下部が開口される挿入溝３４０が具備されることが好ましい。このような挿入溝３４０は、図２に示すように、ポンピング部材３２０の下部外周面を囲むことが好ましい。
【００２７】
上記のような挿入溝３４０には、後述する収容部材５１０の下部が密閉部材によって密閉された状態で結合されることが好ましく、この時、上記密閉部材５２０はポンピング部材３２０と弾性結合されることが好ましい。
【００２８】
上記密閉リング４００はガイドブラケット２００とボタン部３００との間に設置される部材で、このような密閉リング４００は、本発明の初期状態、即ち、開封されない未使用状態時、ガイドブラケット２００とボタン部３００とを互いに離隔させ、使用時には、ガイドブラケット２００がボタン部３００と結合されるように脱離される。
【００２９】
この時、上記ボタン部３００はガイドブラケット２００のガイド片２２０によって下方へ移動され、これと同時に、密閉部材５２０が下方へ移動されながら収容部材５１０の内部に保管された内容物と保管室１１０の内部の内容物とは互いに混じて混合物になる。
【００３０】
また、上記密閉リング４００には脱離が容易になるように脱離取っ手が４１０が具備されることが好ましい。
【００３１】
上記保管筒５００は、保管室１１０に保管された内容物と異なる内容物が保管される収容部材５１０と、この収容部材５１０の下部に弾性結合される密閉部材５２０とで構成される。
【００３２】
上記収容部材５１０は挿入溝３４０に挿入される部材で、このような収容部材５１０は下部と中心部が開放されたドーナツ形状に形成され、内部には内容物が保管される。
【００３３】
上記のような収容部材５１０は、図３〜図５に示すように、ハウジング１００の内部への進入が制限されるように、下端が係止突起２１０によって支持される。
【００３４】
また、上記密閉部材５２０は収容部材５１０の下部を選択的に密閉する部材で、このような密閉部材５２０は、第１実施形態の不使用時、収容部材５２０の内部に保管された内容物と保管室１１０に保管された内容物とを互いに隔離させる役割を果たす。
【００３５】
一方、上記密閉部材５２０の上部はポンピング部材３２０の下端と結合される。このような密閉部材５２０は、密閉リング４００の脱離時、下方へ移動されるボタン部３００によって下方へ移動されながら収容部材５１０の下端を開放させる役割を果たす。
【００３６】
また、上記密閉部材５２０の上部にはポンピング部材３２０と連通される連通孔５２１が形成される。このような連通孔５２１によって、ポンピング部材３２０を利用したポンピング時、保管室１１０の内部の内容物が吐出口３１０を通じて吐出されることができる。
【００３７】
＜第２実施形態＞
次に、第２実施形態について説明する。
【００３８】
説明に先立って、第２実施形態は第１実施形態のガイドブラケット２００が省略されたことが特徴であるが、第２実施形態はガイドブラケット２００の役割をハウジング１００とボタン部３００とのねじ結合で代替する点で差異がある。
【００３９】
上記第１実施形態のボタン部３００は、ガイド片２２０とガイド溝３３０との結合によって上下に移動される。これに対して、後述する第２実施形態のボタン部３００は突出部１３０とねじ結合によって上下に移動される。
【００４０】
図６は本発明の第２実施形態による二種内容物混合容器の分解断面図であり、図７は本発明の第２実施形態による二種内容物混合容器の初期状態の断面図であり、図８は本発明の第２実施形態による二種内容物混合容器の二種類の内容物が混合された状態の断面図が示されている。
【００４１】
本発明の第２実施形態による二種内容物混合容器は、ハウジング１００、ボタン部３００、密閉リング４００及び保管筒５００を含み、保管室１１０、突出部１３０、吐出口３１０、脱離取っ手が４１０、ポンピング部材３２０、収容部材５１０、密閉部材５２０及び固定突部５３０をさらに含むことができる。
【００４２】
上記ハウジング１００は、その内部に図６〜図８に示すように保管室１１０が具備される部材で、このようなハウジング１００の内部には上述した第１実施形態のピストン１２０の役割を果たす部材が含まれない。
【００４３】
上記のような第２実施形態によるハウジング１００は軟性材質のチューブで製作されて、ポンピング部材３２０のポンピングによって内容物が吐出された量だけ吸着される。
【００４４】
また、上記ハウジング１００の上部には突出部１３０が突出して形成される。このような突出部１３０では内容物が流入されることができ、外周面には螺糸山が形成される。
【００４５】
上記ボタン部３００は突出部１３０とねじ結合される部材で、このようなボタン部３００には吐出口３１０とポンピング部材３２０とが含まれる。このような吐出口３１０とポンピング部材３２０は、上述した第１実施形態の吐出口３１０及びポンピング部材３２０と同じ役割を果たすので、これに対する詳細な説明は省略する。
【００４６】
上記のようなボタン部３００は突出部１３０とねじ結合されて昇降され、不使用時には、図７に示すように、密閉リング４００によってハウジング１００と所定距離離隔され、使用時には、一側方向に回転されて下方へ移動される。上記のように下方へ移動されるボタン部３００によって密閉部材５２０も下方へ移動されながら収容部材５１０の下端を開放させる。
【００４７】
上記密閉リング４００はハウジング１００とボタン部３００との間に設置される部材で、このような密閉リング４００は、本発明の初期状態、即ち、図７に示すように、開封されない不使用時、ハウジング１００とボタン部３００とを互いに離隔させ、使用時には、ボタン部３００が下方へ移動されるように脱離される。
【００４８】
この時、上記ボタン部３００は突出部１３０の螺糸山とねじ結合されて下方へ移動され、これと同時に、密閉部材５２０が下方へ移動されながら収容部材５１０の内部に保管された内容物と保管室１１０の内部の内容物とは互いに混じて混合物になる。
【００４９】
また、上記密閉リング４００には脱離が容易になるように脱離取っ手が４１０が具備されることが好ましい。
【００５０】
上記保管筒５００は、図６に示すように、上部には突出部１３０の上端外部に掛けられるように外向へ突出して形成される固定突部５３０と、この固定突部５３０から下方へ延長される延長部５３１と、保管室１１０に保管された内容物と異なる内容物が保管される収容部材５１０と、上記収容部材５１０の下部に弾性結合される密閉部材５２０とで構成される。
【００５１】
上記固定突部５３０は収容部材５１０及び密閉部材５２０がハウジングの内部の所定位置に固定されるようにする役割を果たす。
【００５２】
また、上記収容部材５１０はハウジング１００の内部に位置される部材で、このような収容部材５１０は下部と中心部が開放されたドーナツ形状に形成され、内部には内容物が保管される。
【００５３】
また、上記密閉部材５２０は収容部材５１０の下部を選択的に密閉する部材で、不使用時、密閉部材５２０の内部に保管された内容物と保管室１１０に保管された内容物とを互いに隔離させる役割を果たす。
【００５４】
一方、上記密閉部材５２０の上部はポンピング部材３２０の下端と結合される。このような密閉部材５２０は、密閉リング４００の脱離時、下方へ移動されるボタン部３００によって下方へ移動されながら収容部材５１０の下端を開放させる役割を果たす。
【００５５】
また、上記密閉部材５２０の上部にはポンピング部材３２０と連通される連通孔５２１が形成される。このような連通孔５２１によって、ポンピング部材３２０を利用したポンピングの時、保管室１１０の内部の内容物が吐出口３１０を通じて吐出されることができる。
【００５６】
以下、上記のような構成を有する第１実施形態の二種類の内容物が混合されて混合物になる過程を図３〜図５を参照して説明する。
【００５７】
一方、図３〜図５に示された第１実施形態を参照すれば、図７及び図８に示された第２実施形態も当業者が予測可能であるので、第２実施形態の二種類の内容物が混合されて混合物になる過程に対する詳細な説明は省略する。
【００５８】
まず、図３には第１実施形態による二種内容物混合容器の初期状態が示されている。このような初期状態は、保管室１１０に保管された内容物と収容部材５１０に保管された内容物とが密閉部材５２０によって互いに隔離された状態である。
【００５９】
即ち、初期状態では、保管室１１０と収容部材５１０に保管された内容物は互いに混じていない状態である。
【００６０】
上記のような初期状態で、使用者は脱離取っ手が４１０を取って密閉リング４００を脱離させた後、ボタン部３００を下側方向に加圧すれば、ボタン部３００はガイド片２２０に沿って下方へ移動されながら、図３の初期状態から図４に示すような状態に転換される。
【００６１】
上記ボタン部３００が下方へ移動されると、ポンピング部材３２０によって密閉部材５２０が下方へ移動されながら、収容部材５１０の下端を開放する。これによって、収容部材５１０の内部に保管された内容物は保管室１１０に流入されて混じる。
【００６２】
その後、使用者はハウジングを取って上下に軽く振ることによって二種類の内容物が互いに混合される。
【００６３】
上記のように二種類の内容物が混合された後、使用者はボタン部３００を加圧してポンピングする。上記のように、ポンピングされると、ハウジング１００の内部は真空状態であるので、混合された内容物が吐出口３１０から吐出された量だけピストン１２０は上方へ移動され、保管室１１０に保管された内容物が全部消尽されると、図５に示すように、ピストン１２０が上死点に位置するようになる。
【００６４】
図面及び明細書に最適な実施例が開示された。ここで特定用語を用いたが、これは本発明を説明するための目的で用いられたものであって、意味の限定や特許請求の範囲に記載された本発明の範囲を制限するためにものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2014500203.tif 000003
【図２】
2014500203.tif 000004
【図３】
2014500203.tif 000005
【図４】
2014500203.tif 000006
【図５】
2014500203.tif 000007
【図６】
2014500203.tif 000008
【図７】
2014500203.tif 000009
【図８】
2014500203.tif 000010
【図９】
2014500203.tif 000011
【図１０】
2014500203.tif 000012
【国際調査報告】
2014500203.tif 000013
2014500203.tif 000014
2014500203.tif 000015
2014500203.tif 000016